(57)【要約】【課題】クロストークを軽減することができる立体表示システムを提供することを、目的とする。【解決手段】バックライト１８は、表示領域２８の一方向に並ぶ複数の区域５０ａ〜５０ｄ毎に順次点灯可能となっている。バックライト１８は、発光素子群４８と、反射シート６２と、反射壁６８とを備える。発光素子群４８は、複数の区域５０ａ〜５０ｄのそれぞれに対応して配置される。反射シート６２は、発光素子群４８が設けられた基板５２上に配置され、発光素子群４８が発する光を反射する。反射壁６８は、反射シート６２上であって、且つ、複数の区域５０ａ〜５０ｄの境界上に設けられ、発光素子群４８が発する光を反射する。発光素子群４８を構成する発光素子５６は、点光源５８と、拡散レンズ６０とを備える。拡散レンズ６０は、点光源５８が発する光を拡散する。【選択図】図１
2014167495.tif 000002
【特許請求の範囲】
【請求項１】
複数の画素がマトリクス状に形成された表示領域を有し、右眼用画像と左眼用画像とが前記表示領域に交互に切替表示される液晶パネルと、
前記液晶パネルにおける画像の切替周期と同期して、光の透過状態が制御される立体視用メガネと、
前記液晶パネルの後方に配置され、前記表示領域の一方向に並ぶ複数の区域毎に順次点灯可能なバックライトとを備え、
前記バックライトは、
前記複数の区域のそれぞれに対応して配置される発光素子群と、
前記発光素子群が設けられた基板上に配置され、前記発光素子群が発する光を反射する反射シートと、
前記反射シート上であって、且つ、前記複数の区域の境界上に設けられ、前記発光素子群が発する光を反射する反射壁とを備え、
前記発光素子群を構成する発光素子は、
点光源と、
点光源が発する光を拡散する拡散レンズとを備える、立体表示システム。
【請求項２】
前記反射壁が前記反射シートに一体形成されている、請求項１に記載の立体表示システム。
【請求項３】
前記反射壁は、前記反射シートから離れるに従って次第に離隔距離が短くなる一対の傾斜面を備える、請求項１又は２に記載の立体表示システム。
【請求項４】
前記反射壁の断面が三角形である、請求項３に記載の立体表示システム。
【請求項５】
前記反射壁の先端が前記拡散レンズよりも前記液晶パネル側に位置している、請求項１〜４の何れか１項に記載の立体表示システム。
【請求項６】
前記反射シートは、前記発光素子を収容する開口を備える、請求項１〜５の何れか１項に記載の立体表示システム。
【発明の詳細な説明】
【技術分野】
【０００１】
本発明は、立体表示システムに関する。
【背景技術】
【０００２】
液晶シャッターメガネを用いて、観察者に立体画像を見せる立体表示装置が知られている。このような立体表示装置は、右眼用画像と左眼用画像を液晶パネルに交互に表示する。画像の切替周期と同期して、液晶シャッターメガネにおける光の透過状態を制御する。これにより、観察者の右眼には右眼用画像だけが見え、左眼には左眼用画像だけが見える。その結果、観察者は、立体感を感じることができる。
【０００３】
立体表示装置においては、右眼用画像と左眼用画像を分離する必要がある。右眼用画像と左眼用画像が分離されていないと、クロストークが発生する。クロストークを軽減する方法としては、例えば、液晶の応答に合わせて、バックライトを画面上の区域毎に点灯する方法がある（非特許文献１参照）。
【０００４】
バックライトは、例えば、特開２００９−１１７２０７号公報（特許文献１）に開示されている。特許文献１に記載のバックライトは、発光素子からの光を光束制御部材を介して出射する発光装置を備える。発光装置は、光束制御部材の光制御出射面から効率的に且つ広範囲に均一な照射光を出射する。
【先行技術文献】
【特許文献】
【０００５】
【特許文献１】特開２００９−１１７２０７号公報
【非特許文献】
【０００６】
【非特許文献１】シャープ技報第１０２号第４頁〜第７頁
【発明の概要】
【発明が解決しようとする課題】
【０００７】
特許文献１に記載のバックライトは光の広がりが大きい。そのため、特許文献１に記載のバックライトを採用し、液晶の応答に合わせて、バックライトを画面上の区域毎に点灯する場合、本来なら点灯していない区域に、光が漏れる。その結果、クロストークが発生する。
【０００８】
本発明の目的は、クロストークを軽減することができる立体表示システムを提供することである。
【課題を解決するための手段】
【０００９】
本発明の立体表示システムは、複数の画素がマトリクス状に形成された表示領域を有し、右眼用画像と左眼用画像とが前記表示領域に交互に切替表示される液晶パネルと、前記液晶パネルにおける画像の切替周期と同期して、光の透過状態が制御される立体視用メガネと、前記液晶パネルの後方に配置され、前記表示領域の一方向に並ぶ複数の区域毎に順次点灯可能なバックライトとを備え、前記バックライトは、前記複数の区域のそれぞれに対応して配置される発光素子群と、前記発光素子群が設けられた基板上に配置され、前記発光素子群が発する光を反射する反射シートと、前記反射シート上であって、且つ、前記複数の区域の境界上に設けられ、前記発光素子群が発する光を反射する反射壁とを備え、前記発光素子群を構成する発光素子は、点光源と、点光源が発する光を拡散する拡散レンズとを備える。
【発明の効果】
【００１０】
本発明の立体表示システムは、クロストークを軽減することができる。
【図面の簡単な説明】
【００１１】
【図１】図１は、本発明の実施形態としての立体表示システムの概略構成の一例を示す機能ブロック図である。
【図２】図２は、図１に示す立体表示装置の概略構成の一例を示す断面図である。
【図３】図３は、図１に示すバックライトの内部を示す平面図である。
【図４】図４は、バックライトにおいて個別に点灯可能な複数の区域を示す平面図である。
【図５】図５は、図４におけるＶ−Ｖ断面図である。
【図６】図６は、図５の一部拡大断面図である。
【図７】図７は、反射壁を有する場合と、反射壁を有しない場合とで、光を発する発光素子群が位置する区域と他の区域との輝度を示すグラフである。
【図８】図８は、反射壁を有する場合と、反射壁を有しない場合とで、立体視用メガネ越しの光強度を示すグラフである。
【図９】図９は、実施形態の応用例１で採用されるバックライトの内部を示す平面図である。
【図１０】図１０は、実施形態の応用例２で採用される反射壁の拡大断面図である。
【図１１】図１１は、実施形態の応用例３で採用される反射壁の拡大断面図である。
【図１２】図１２は、実施形態の応用例４で採用される反射壁の拡大断面図である。
【図１３】図１３は、実施形態の応用例５で採用される反射壁の拡大断面図である。
【発明を実施するための形態】
【００１２】
本発明の一実施形態に係る立体表示システムは、複数の画素がマトリクス状に形成された表示領域を有し、右眼用画像と左眼用画像とが前記表示領域に交互に切替表示される液晶パネルと、前記液晶パネルにおける画像の切替周期と同期して、光の透過状態が制御される立体視用メガネと、前記液晶パネルの後方に配置され、前記表示領域の一方向に並ぶ複数の区域毎に順次点灯可能なバックライトとを備え、前記バックライトは、前記複数の区域のそれぞれに対応して配置される発光素子群と、前記発光素子群が設けられた基板上に配置され、前記発光素子群が発する光を反射する反射シートと、前記反射シート上であって、且つ、前記複数の区域の境界上に設けられ、前記発光素子群が発する光を反射する反射壁とを備え、前記発光素子群を構成する発光素子は、点光源と、点光源が発する光を拡散する拡散レンズとを備える（第１の構成）。
【００１３】
第１の構成においては、複数の区域の境界上に反射壁が設けられている。そのため、発光素子群が発する光は、当該発光素子群が配置された区域の外へ漏れ難くなる。その結果、クロストークが軽減される。
【００１４】
なお、点光源は、冷陰極管等の線状光源や、有機ＥＬ(electroluminescence)等の面状光源ではない光源をいう。点光源としては、例えば、発光ダイオード、レーザー素子等がある。
【００１５】
第２の構成は、前記第１の構成において、前記反射壁が前記反射シートに一体形成されている構成である。このような構成においては、反射シートと反射壁を纏めて取り扱うことができる。また、反射壁と反射シートを同時に製造することができる。
【００１６】
第３の構成は、前記第１又は第２の構成において、前記反射壁は、前記反射シートから離れるに従って次第に離隔距離が短くなる一対の傾斜面を備える構成である。このような構成においては、発光素子群の発する光が反射壁によって反射され易くなる。
【００１７】
第４の構成は、前記第３の構成において、前記反射壁の断面が三角形になっている構成である。このような構成においては、反射壁の先端に稜線が形成される。そのため、反射壁の先端に面が形成される場合に比して、反射壁の先端に相当する部分が明るく見えたり、暗く見えたりするのを防ぐことができる。
【００１８】
第５の構成は、前記第１〜第４の構成の何れか１つにおいて、前記反射壁の先端が前記拡散レンズよりも前記液晶パネル側に位置している構成である。このような構成においては、発光素子群の発する光が反射壁で反射され易くなる。
【００１９】
第６の構成は、前記第１〜第５の構成の何れか１つにおいて、前記反射シートは、前記発光素子を収容する開口を備える構成である。このような構成においては、反射シートの面積が大きくなる。
【００２０】
以下、本発明のより具体的な実施形態について、図面を参照しながら説明する。なお、以下で参照する各図は、説明の便宜上、本発明の実施形態の構成部材のうち、本発明を説明するために必要な主要部材のみを簡略化して示したものである。従って、本発明に係る立体表示システムは、本明細書が参照する各図に示されていない任意の構成部材を備え得る。また、各図中の部材の寸法は、実際の構成部材の寸法および各部材の寸法比率等を忠実に表したものではない。
【００２１】
［実施形態］
図１及び図２を参照して、本発明の第１の実施形態としての立体表示システム１０について説明する。図１は、立体表示システム１０の概略構成を示す機能ブロック図である。図２は、図１に示す立体表示装置１２の概略構成を示す断面図である。なお、図２において、各部材のハッチングは省略している。
【００２２】
［全体構成］
立体表示システム１０は、立体表示装置１２と、立体視用メガネ１４とを備える。立体表示装置１２の具体例としては、例えば、家庭用テレビ等がある。
【００２３】
立体表示装置１２は、立体視用画像を表示する。立体視用画像は、観察者の右眼で見る右眼用画像と、観察者の左眼で見る左眼用画像とである。立体表示装置１２は、液晶パネル１６と、バックライト１８と、制御部２０とを備える。
【００２４】
図２に示すように、液晶パネル１６は、アクティブマトリクス基板２２と、対向基板２４と、これらアクティブマトリクス基板２２と対向基板２４との間に封入された液晶層２６とを備える。液晶のモードは、特に限定されない。３Ｄの駆動方式も、特に限定されない。
【００２５】
液晶パネル１６は、複数の画素（図示せず）を有する。複数の画素は、マトリクス状に形成されている。複数の画素が形成された領域は、液晶パネル１６の表示領域２８（図１参照）である。
【００２６】
各画素は、複数のサブ画素を有してもよい。複数のサブ画素は、例えば、赤色画素、緑色画素及び青色画素である。複数のサブ画素は、黄色画素を含んでもよい。
【００２７】
バックライト１８は、直下型のバックライト１８である。バックライト１８は、液晶パネル１６の後方（観察者とは反対側）に配置される。バックライト１８は、表示領域２８に光を照射する。バックライト１８の詳細については、後述する。
【００２８】
制御部２０（図１参照）は、立体表示装置１２を駆動する。制御部２０は、図１に示すように、液晶駆動部３０と、バックライト駆動部３２と、メガネ駆動部３４とを備える。
【００２９】
液晶駆動部３０は、液晶パネル１６を駆動する。液晶駆動部３０は、外部から送られてくる表示データ信号と、タイミング制御信号とに基づいて、画像表示に必要な各種信号を生成する。図１に示すように、液晶駆動部３０は、ゲートドライバ３６とソースドライバ３８に対して、生成した信号を出力する。
【００３０】
ゲートドライバ３６には、複数のゲート線４０が接続されている。各ゲート線４０は、薄膜トランジスタ（図示せず）のゲート電極に接続されている。薄膜トランジスタは、アクティブマトリクス基板２２上に形成されている。薄膜トランジスタは、スイッチング素子として機能する。各ゲート線４０は、ゲートドライバ３６から出力される走査信号を伝送する。ゲート電極に入力される走査信号によって、薄膜トランジスタが駆動される。
【００３１】
ソースドライバ３８には、複数のソース線４２が接続されている。各ソース線４２は、薄膜トランジスタのソース電極に接続されている。各ソース線４２は、ソースドライバ３８から出力される表示信号を伝送する。薄膜トランジスタが駆動されているときに、薄膜トランジスタに表示信号が入力される。これにより、表示信号に応じた電荷が、薄膜トランジスタに接続された電荷蓄積容量に蓄積される。電荷蓄積容量は、画素電極と、画素電極に対向して配置された共通電極と、これら画素電極と共通電極との間に位置する液晶層２６とによって構成される。画素電極は、アクティブマトリクス基板２２に形成されている。画素電極は、薄膜トランジスタのドレイン電極に接続されている。共通電極は、対向基板２４に形成されている。表示信号に応じた電荷を電荷蓄積容量に蓄積することにより、各画素の階調を制御することができる。その結果、液晶パネル１６は、画像を表示することができる。
【００３２】
バックライト駆動部３２は、バックライト１８を制御する。バックライト１８の駆動方法については、後述する。
【００３３】
メガネ駆動部３４は、立体視用メガネ１４を駆動する。立体視用メガネ１４は、右眼用液晶シャッタ１４ａと、左眼用液晶シャッタ１４ｂとを備える。右眼用液晶シャッタ１４ａは、観察者が装着した状態で観察者の右眼前方に位置する。左眼用液晶シャッタ１４ｂは、観察者が装着した状態で観察者の左眼前方に位置する。これらの液晶シャッタ１４ａ，１４ｂとしては、例えば、液晶パネル等を採用することができる。
【００３４】
メガネ駆動部３４は、右眼用液晶シャッタ１４ａと左眼用液晶シャッタ１４ｂを開閉する。液晶パネル１６が右眼用画像を表示するとき、右眼用液晶シャッタ１４ａを開状態（光の透過状態）とし、左眼用液晶シャッタ１４ｂを閉状態（光の非透過状態）とする。液晶パネル１６が左眼用画像を表示するとき、左眼用液晶シャッタ１４ｂを開状態（光の透過状態）とし、右眼用液晶シャッタ１４ａを閉状態（光の非透過状態）とする。
【００３５】
［バックライト］
次に、図３〜図６を参照して、バックライト１８の詳細について説明する。図３は、バックライト１８の内部を示す平面図である。図４は、バックライト１８において個別に点灯可能な複数の区域を示す平面図である。図５は、図３におけるＶ−Ｖ断面図である。図６は、図５の一部拡大断面図である。なお、図３及び図４においては、左右方向が表示領域２８（図１参照）の水平方向に対応し、上下方向が表示領域２８の垂直方向に対応する。図５及び図６においては、左右方向が表示領域２８の垂直方向に対応し、紙面に垂直な方向が表示領域２８の水平方向に対応し、上側が液晶パネル１６側になる。
【００３６】
バックライト１８は、図３及び図５に示すように、ハウジング４４を備える。図５に示すように、ハウジング４４は、液晶パネル１６側に開口する。ハウジング４４の開口は、光学シート４６で覆われている。光学シート４６は、例えば、拡散シートだけであってもよいし、拡散シートを含む複数の光学シートが積層されたものであってもよい。
【００３７】
図３に示すように、ハウジング４４内には、複数の発光素子群４８が配置されている。複数の発光素子群４８は、各発光素子群４８ごとに点灯可能となっている。これにより、バックライト１８は、図４及び図５に示すように、個別に点灯可能な複数の区域５０ａ〜５０ｄを有する。なお、図４においては、複数の区域５０ａ〜５０ｄにハッチングを施している。
【００３８】
バックライト１８が複数の区域５０ａ〜５０ｄを有することに伴い、表示領域２８（図１参照）が実質的に複数の領域に分けられる。換言すれば、各区域５０ａ〜５０ｄに対応する領域が、表示領域２８に形成される。
【００３９】
複数の区域５０ａ〜５０ｄは、垂直方向に並んでいる。そのため、表示領域２８は、垂直方向に複数の領域に分けられる。
【００４０】
各区域５０ａ〜５０ｄは、バックライト駆動部３２（図１参照）によって、点灯される。各区域５０ａ〜５０ｄは、液晶パネル１６（図１参照）の駆動に対応して、点灯される。複数の区域５０ａ〜５０ｄは、上から順番に１つずつ繰り返し点灯される。
【００４１】
図３に示すように、各発光素子群４８は、１つの基板５２に実装されている。換言すれば、ハウジング４４内には、複数の基板５２が収容されている。これら複数の基板５２のそれぞれに発光素子群４８が実装されている。
【００４２】
各基板５２は、水平方向に略一定の幅寸法で延びている。複数の基板５２は、垂直方向に等間隔に並んでいる。複数の基板５２は、ハウジング４４の底壁５４に重なっている。
【００４３】
各発光素子群４８は、図３に示すように、複数の発光素子５６を含んで構成されている。複数の発光素子５６は、水平方向に１列に並んでいる。複数の発光素子５６は、等間隔に配置されている。
【００４４】
各発光素子５６は、図５に示すように、発光ダイオード５８と、拡散レンズ６０とを備える。本実施形態では、発光ダイオード５８が点光源として機能する。
【００４５】
発光ダイオード５８は、白色光を発する。拡散レンズ６０は、発光ダイオード５８を覆っている。
【００４６】
拡散レンズ６０と発光ダイオード５８との間には、隙間が形成されている。この隙間を利用して、発光ダイオード５８の熱を逃がす。
【００４７】
拡散レンズ６０は、発光ダイオード５８が発する光を拡散する。そのため、各発光素子４８は、広範囲に均一な光を出射することができる。
【００４８】
図５に示すように、ハウジング４４内には、反射シート６２が配置されている。反射シート６２は、複数の基板５２のそれぞれの実装面に重なっている。反射シート６２は、各発光素子４８から発せられた光のうち、光学シート４６に向かって進まなかった光を反射し、光学シート４６に向かって進ませる。反射シート６２は、例えば、発砲反射板であってもよいし、樹脂フィルムの表面に反射層を形成したシートであってもよい。発砲反射板は、例えば、ＰＥＴ（ポリエチレンテレフタレート）フィルムやＰＰ（ポリプロピレン）フィルムに気泡を含ませることにより、それ自身が光を反射する特性を有するようにしたものである。樹脂フィルムの表面に反射層を形成したシートは、例えば、ＰＥＴフィルムやＰＰフィルムに銀をスパッタして反射層を形成したものである。
【００４９】
図３及び図５に示すように、反射シート６２は、複数の開口６４を有する。各開口６４は、発光素子５６と対応する位置に形成されている。反射シート６２が複数の基板５２のそれぞれの実装面に重なっているとき、各開口６４内には、１つの発光素子５６が位置している。このような反射シート６２においては、反射シート６２の反射面６６を大きく確保することができる。
【００５０】
［反射壁］
反射シート６２は、図３及び図５に示すように、複数の反射壁６８を有する。各反射壁６８は、隣り合う２つの区域５０ａ〜５０ｄの境界上に位置する。換言すれば、複数の反射壁６８によって、複数の区域５０ａ〜５０ｄが規定されている。
【００５１】
各反射壁６８は、各発光素子５６から発せられた光のうち、他の区域５０ａ〜５０ｄに向かう光を反射し、当該発光素子５６が位置する区域５０ａ〜５０ｄ内で、光学シート４６に光を入射させる。
【００５２】
各反射壁６８は、図５に示すように、反射シート６２を折り曲げることで形成されている。即ち、各反射壁６８は、反射シート６２に一体形成されている。これにより、反射シート６２と複数の反射壁６８とを纏めて取り扱うことができる。また、反射シート６２を製造するときに、複数の反射壁６８も製造することができる。
【００５３】
各反射壁６８は、図６に示すように、水平方向に延びる一対の傾斜面７０ａ，７０ｂを有する。一対の傾斜面７０ａ，７０ｂは、反射シート６２から離れるに従って離隔距離が短くなっている。一対の傾斜面７０ａ，７０ｂの一端（液晶パネル１６側の端）同士が繋がることで、稜線６９が形成されている。即ち、本実施形態では、図６に示すように、各反射壁６８の断面が三角形になっている。
【００５４】
図６に示すように、一方の傾斜面７０ａは、反射面６６に対して、所定角度θ１傾斜している。他方の傾斜面７０ｂは、反射面６６に対して、所定角度θ２傾斜している。これらの角度θ１，θ２は、それぞれ、９０度以上であれば、特に限定されない。角度θ１と角度θ２は、同じであってもよいし、異なっていてもよい。
【００５５】
各反射壁６８の先端（稜線６９）は、発光ダイオード５８の上端よりも液晶パネル１６側に位置していればよいが、図６に示すように、拡散レンズ６０の上端よりも液晶パネル１６側に位置するほうが望ましい。これにより、より多くの光を反射壁６８で反射することができる。
【００５６】
なお、図６に示すように、各反射壁６８の先端と光学シート４６の裏面との間に隙間が形成されていることが好ましい。反射壁６８が光学シート４６に接触した場合、当該接触部分が暗く見えるのを防ぐことができる。また、反射壁６８と光学シート４６の少なくとも一方が、例えば破損等するのを防ぐことができる。
［実施形態の効果］
【００５７】
各発光素子５６は、発光ダイオード５８と、拡散レンズ６０とを備える。そのため、各発光素子５６は、広範囲に均一な光を出射することができる。複数の反射壁６８がない場合、各発光素子５６が発する光は、当該発光素子５６が位置する区域５０ａ〜５０ｄとは異なる区域５０ａ〜５０ｄにまで容易に到達する。換言すれば、各発光素子５６の発する光が他の区域５０ａ〜５０ｄに漏れ易くなっている。そのため、バックライト１８を各区域５０ａ〜５０ｄ毎に点灯しても、本来なら点灯していない区域５０ａ〜５０ｄに、他の区域５０ａ〜５０ｄの光が漏れてしまう。その結果、クロストークが発生する。
【００５８】
しかしながら、本実施形態においては、複数の反射壁６８が設けられている。そのため、各発光素子５６の発する光が他の区域５０ａ〜５０ｄに漏れ難くなっている。その結果、クロストークを軽減することができる。また、光を発する発光素子群４８が位置する区域５０ａ〜５０ｄの光強度を大きくすることができる。
【００５９】
本実施形態では、各反射壁６８が一対の傾斜面７０ａ，７０ｂを有する。そのため、各発光素子５６の発する光を反射し易くなっている。
【００６０】
特に本実施形態では、各反射壁６８の断面が三角形となっている。そのため、反射壁６８の先端に面が形成されている場合に比して、反射壁６８の先端に相当する部分が明るく見えたり、暗く見えたりするのを防ぐことができる。反射壁６８が光を反射するのは、主に、一対の傾斜面７０ａ，７０ｂである。反射壁６８の先端では、光を反射しない可能性がある。そのため、反射壁６８の先端に面が形成されていると、当該面で光を反射しなかった場合、バックライト１８は、当該面に相当する部分が、暗く見える。逆に、当該面で光を反射した場合、バックライト１８は、当該面に相当する部分が、明るく見える可能性がある。このように、反射壁６８の先端に面が形成されている場合、反射壁６８の先端に相当する部分が明るく見えたり、暗く見えたりする可能性がある。しかしながら、本実施形態では、反射壁６８の先端が稜線６９になっているので、反射壁６８の先端に相当する部分が明るく見えたり、暗く見えたりするのを防ぐことができる。
【００６１】
図７は、反射壁６８を有する場合（実施例）と、反射壁６８を有しない場合（比較例）とで、光を発する発光素子群４８が位置する区域５０ａ〜５０ｄの輝度と、他の区域５０ａ〜５０ｄの輝度とが、どのように変化するかを示すグラフである。図７においては、実施例を実線で示し、比較例を破線で示す。なお、図７において、一点鎖線は、隣り合う２つの反射壁６８のそれぞれが有する稜線６９の位置を示す。
【００６２】
図７に示すように、反射壁６８を有する場合は、反射壁６８を有しない場合に比して、他の区域５０ａ〜５０ｄへの光の漏れを抑えることができる。また、光を発する発光素子群４８が位置する区域５０ａ〜５０ｄの光強度を大きくすることができる。
【００６３】
図８は、複数の区域５０ａ〜５０ｄを上から順番に１つずつ点灯したときに、表示領域２８において区域５０ｂに対応する領域（以下、対応領域とする）の中央上側部分を、立体視用メガネ１４をかけて見た場合の光強度を示す。図８には、反射壁６８を有する場合（実施例）と、反射壁６８を有しない場合（比較例）とが示されている。図８には、左眼用液晶シャッタ１４ｂの透過率と、バックライト１８の光強度と、各区域５０ａ〜５０ｄの発光期間と、対応領域の液晶の透過率とが、併せて示されている。左眼用液晶シャッタ１４ｂの切替周波数は、１２０Ｈｚである。立体表示の際にクロストークが最も発生し易いのは、一方の立体視用画像を白画像で表示し、他方の立体視用画像を黒画像で表示する場合である。そこで、液晶の透過率については、左眼用画像を白画像で表示し、右眼用画像を黒画像で表示したときの液晶の透過率の変化を示す。バックライト１８は、表示領域２８において点灯する区域５０ａ〜５０ｄに対応する領域の液晶の駆動タイミングに合わせて、各区域５０ａ〜５０ｄを点灯している。図中、Ｌは左眼用画像の表示期間を示し、Ｒは右眼用画像の表示期間を示す。
【００６４】
［白画像の表示期間］
図８に示すように、実施例は、比較例よりも、区域５０ｂの輝度が向上している。実施例は、比較例よりも、他の区域５０ａ，５０ｃ，５０ｄからの漏れ光が少ない。比較例においては、他の区域５０ｃ，５０ｄからの漏れ光は、対応領域の液晶の駆動が終了した後、即ち、液晶の透過率が下がり始めた後に、区域５０ｂに入ってくる。そのため、光の利用効率が悪くなる。一方、実施例においては、対応領域の液晶の駆動が終了した後に区域５０ｂに入ってくる他の区域５０ｃ，５０ｄからの漏れ光が少ないので、光の利用効率がよくなる。
【００６５】
［黒画像の表示期間］
図８に示すように、区域５０ｂの点灯期間は、対応領域の液晶の透過率が最も低くなるタイミングに合わせて、終了するようになっている。そのため、比較例では、対応領域の液晶の透過率が上がり始めるときに、他の区域５０ｃ，５０ｄからの漏れ光が区域５０ｂに入り込んでくる。そのため、比較例では、クロストーク値が高くなる。一方、実施例では、他の区域５０ｃ，５０ｄからの漏れ光が区域５０ｂに入り込み難くなっているので、クロストーク値が低くなる。
【００６６】
［実施形態の応用例１〜５］
図９〜図１３を参照して、実施形態の応用例１〜５について説明する。図９は、本応用例で採用されるバックライト１８の内部を示す平面図である。図１０は、応用例２で採用される反射壁６８の拡大断面図である。図１１は、応用例３で採用される反射壁６８の拡大断面図である。図１２は、応用例４で採用される反射壁６８の拡大断面図である。図１３は、応用例５で採用される反射壁６８の拡大断面図である。
【００６７】
発光素子群４８を構成する複数の発光素子５６は、１列に並んでいる必要はない。例えば、図９に示すように、複数の発光素子５６が２列に並んでいてもよい。
【００６８】
反射壁６８の断面は、三角形に限定されない。例えば、図１０に示すように、半円形であってもよいし、図１１に示すように、矩形であってもよいし、図１２に示すように、台形であってもよい。
【００６９】
反射壁６８は反射シート６２に一体形成されている必要はない。例えば、図１３に示すように、反射壁６８は、反射シート６２と別体形成されていてもよい。この場合、反射壁６８は、反射シート６２に接着される。なお、図１３において、反射壁６８は中空構造であってもよい。
【００７０】
以上、本発明の実施形態について、詳述してきたが、これらはあくまでも例示であって、本発明は、上述の実施形態によって、何等、限定されない。
【００７１】
例えば、前記実施形態では、各発光素子群４８が１つの基板５２に設けられていたが、複数の発光素子群４８を１つの基板に纏めて実装してもよい。
【符号の説明】
【００７２】
１０：立体表示システム，１４：立体視用メガネ，１６：液晶パネル，１８：バックライト，２８：表示領域，４８：発光素子群，５０ａ〜５０ｄ：複数の区域，５２：基板，５６：発光素子，５８：発光ダイオード，６０：拡散レンズ，６２：反射シート，６８：反射壁，７０ａ：傾斜面，７０ｂ：傾斜面
【図１】
2014167495.tif 000003
【図２】
2014167495.tif 000004
【図３】
2014167495.tif 000005
【図４】
2014167495.tif 000006
【図５】
2014167495.tif 000007
【図６】
2014167495.tif 000008
【図７】
2014167495.tif 000009
【図８】
2014167495.tif 000010
【図９】
2014167495.tif 000011
【図１０】
2014167495.tif 000012
【図１１】
2014167495.tif 000013
【図１２】
2014167495.tif 000014
【図１３】
2014167495.tif 000015